(57)【要約】      （修正有）【課題】着座者が着座したときに背骨及び尾骨の圧接を減少することができ、長時間着座しても疲労感を大幅に低減することができる椅子を提供する。【解決手段】椅子１は、座席部２と背もたれ４を有し、背もたれ４には、着座者の背骨の位置に対応させて背骨回避凹所４ａが形成され、座席部２には、着座者の尾骨の位置に対応させて、背もたれ側と前側の間に尾骨回避凹所２ａが形成されている。背骨回避凹所４ａと尾骨回避凹所２ａは、背もたれ４と座席部２の幅方向の中央部に各々形成され、これらの凹所にはクッション体７，８が着脱可能に埋設される。【選択図】図１
0003190627.tif 000002
【実用新案登録請求の範囲】
【請求項１】
座席部と背もたれを有する椅子であって、
前記背もたれには、着座者の背骨の位置に対応させた背骨回避凹所が形成されるとともに、前記座席部には、着座者の尾骨の位置に対応させた尾骨回避凹所が前記背もたれ側と前側の間に形成され、
前記背骨回避凹所と尾骨回避凹所には、これらの凹所に凹所用クッション体を着脱可能に埋設した椅子。
【請求項２】
前記凹所用クッション体の固さを前記座席部と背もたれと異ならせた請求項１及び２に記載の椅子。
【考案の詳細な説明】
【技術分野】
【０００１】  本考案は、座席部と背もたれを有する椅子に関し、詳しくは、座席部と背もたれに着座者の背骨及び坐骨に対応させた凹所を形成した椅子に関する。
【背景技術】
【０００２】  椅子は、座部に着座者が着座した際に、座り心地が良いこと、長時間着座しても疲労感や痛み感が生じないことが求められ、従前より種々の改善が行われている。椅子の背もたれに関して、特許第３４３８０７８号公報（特許文献１）には、車の座席の背もたれ部に設置される矯正用背もたれ板であり、背もたれ板に中央縦凹所を形成して、運転者の脊椎を矯正用背もたれ板にあたることがないようにして、脊椎を立った状態に近いまっすぐな状態に維持することにより、脊椎を矯正することが開示されている。また、実開昭６０−２５３１号公報（特許文献２）には、クッションの中央に縦方向の溝条を形成し、この溝条に押圧隆条を埋め込み、押圧隆条に脊椎を押圧して矯正することが記載されている。
【先行技術文献】
【特許文献】
【０００３】
【特許文献１】特許第３４３８０７８号公報
【特許文献２】実開昭６０−２５３１号公報
【考案の概要】
【考案が解決しようとする課題】
【０００４】  上記特許文献１及び２は、背もたれやクッションに形成された縦溝によって背骨を矯正するものである。このため、背もたれに背中をあずけたとき、突出した背骨を縦溝に当接させることになり、その当接面圧が、背中の他の部位が当る部分の当接面圧より高くなることから、圧接する背骨を中心に不快感や痛さが生ずるため、結局、良好な座り心地が得られず、長時間着座した場合に、疲労感や痛み感が生ずるという問題がある。また、椅子に着座した場合には、背もたれに背骨が当接する一方、特に浅く腰掛けたときには尾骨が座席部に当接して、やはり疲労感や痛み感が生ずる問題もあるが、上記特許文献１及び２に開示された背もたれやクッションには、この問題に対して考慮されていない。【０００５】  一方、通常使用される椅子は、背骨の矯正を必要とする着座者に限らず、健常者も通常の座り方で使用する。この場合、矯正用の溝が形成された椅子は常者においては座り心地が悪いことになる。このため、背骨矯正用の椅子と健常者用の椅子を２脚用意しなくてはならない問題が生ずる。【０００６】  本考案が解決しようとする課題は、背骨や尾骨の回避を必要とする着座者と健常者のいずれであっても使用することができる椅子を提供することにある。
【課題を解決するための手段】
【０００７】  そこで、本考案による椅子は、座席部と背もたれを有する椅子であって、前記背もたれには、着座者の背骨の位置に対応させた背骨回避凹所が形成されるとともに、前記座席部には、着座者の尾骨の位置に対応させた尾骨回避凹所が前記背もたれ側と前側の間に形成され、前記背骨回避凹所と尾骨回避凹所には、これらの凹所に凹所用クッション体が着脱可能に埋設される。【０００８】  また、前記凹所用クッション体の固さは、本体の椅子の座席部と背もたれと異なるようにしても良い。
【考案の効果】
【０００９】  本考案による椅子は、背もたれに着座者の背骨の位置に対応させて背骨回避凹所を形成しているので、着座者が着座したときに背骨が背骨回避凹所に入り込むことから、背骨に対する圧接が回避され、疲労感や痛み感を大幅に減少させることができる。さらに、座席部に着座者の尾骨の位置に対応させて尾骨回避凹所を形成しているので、尾骨に対する圧接が回避され、やはり疲労感や痛み感を大幅に減少させることができる。また、背骨回避凹所と尾骨回避凹所には、凹所用クッション体を着脱可能に埋設されるので、背骨矯正等を必要としない健常者が通常の椅子として使用することができ、１脚の椅子を広範な着座者が使用目的に応じて任意に使用可能となる。【００１０】  また、凹所用クッション体の固さを本体の椅子の座席部と背もたれと異ならせることにより、背骨矯正等を必要とする着座者、或いは、健常者のいずれであっても、クッション体の固さを異ならせることで、良好な座り心地の良い椅子を提供することが可能となる。
【図面の簡単な説明】
【００１１】
【図１】  本発明に関わる椅子の実施例を示す斜視図である。
【図２】  図１に示す椅子の平面図である。
【図３】  椅子に着座者が着座した状態を示す側面図である。
【図４】  椅子に着座者が着座した状態を示す上面図である。
【図５】  クッションのない椅子に着座者が着座した状態を示す側面図である。
【考案を実施するための形態】
【００１２】  本考案による椅子は、座席部と背もたれを有する椅子であって、前記背もたれには、着座者の背骨の位置に対応させた背骨回避凹所が形成されるとともに、前記座席部には、着座者の尾骨の位置に対応させた尾骨回避凹所が前記背もたれ側と前側の間に形成され、前記背骨回避凹所と尾骨回避凹所には、これらの凹所に凹所用クッション体が着脱可能に埋設される。
【００１３】  以下、図面に基づいて本考案の実施例を詳細に説明する。図１、図２に示す椅子１は、座席部２と、この座席部２を支持する４本の脚部３と、座席部２の後方端から立設された背もたれ４と、肘掛け５とを有している。座席部２は略四角形に形成され、上面には、内部にウレタンフォームやウレタンチップなどのクッション材を収納し、表面に布やレザー或いは樹脂シート等の上張で被覆されたクッション構造としている。また、背もたれ４も座席部２と同様のクッション構造としている。
【００１４】  そして、背もたれ４の横幅方向の中央には、上下方向に延びる縦長の背骨回避凹所４ａが形成されている。この背骨回避凹所４ａは、着座者６の背骨に対応する位置に形成され、幅は背骨の幅よりも広くしている。また、背骨回避凹所４ａは、上部が背もたれ４の上端に達しない寸法に短く形成され、これにより、背もたれ４の上端側が連通することから、背骨回避凹所４ａによって背もたれ４を分断させることなく、椅子としての強度を確保して耐久性を保持させている。このような背骨回避凹所４ａの下部は、座席部２の後部まで達している。なお、図１、図２に示す背骨回避凹所４ａは、クッションを貫通するように形成し、背もたれ４の裏板（図示しない）によって裏面側を閉塞させて凹所条に形成している。
【００１５】  一方、座席部２の横幅方向の中央には、背もたれ４側と前側の間に長方形の尾骨回避凹所２ａが形成されている。この尾骨回避凹所２ａは、着座者６の尾骨に対応する位置に形成され、幅は尾骨の幅よりも広くしている。また、尾骨回避凹所２ａは、前部が座席部２の前端に達しない寸法に短く形成され、背もたれ４と同様に、前端側が連通することから、尾骨回避凹所２ａによって座席部２を分断させることなく、椅子としての強度を確保して耐久性を保持させている。なお、図１、図２に示す尾骨回避凹所２ａは、クッションを貫通するように形成し、図３、図５に示すように、座席部２には底板２ｂが設けられている。
【００１６】  背もたれ４の横幅方向の中央に形成された縦長の背骨回避凹所４ａと、座席部２の横幅方向の中央に形成された長方形の尾骨回避凹所２ａには、各々凹所用クッション体７、８が着脱可能に埋設される。
【００１７】  背骨回避凹所４ａに埋設される凹所用クッション体７は、背骨回避凹所４ａの形状、すなわち縦方向の長さ、幅、及び、深さがほぼ等しいかやや大きい寸法に形成されている。凹所用クッション体７の内部には、背もたれ４と同様に、ウレタンフォームやウレタンチップなどのクッション材が収納され、表面には布やレザー或いは樹脂シート等の上張で被覆されたクッション構造としている。そして、凹所用クッション体７は、背骨回避凹所４ａに軽圧入状態で埋設することにより、凹所用クッション体７の上面が背もたれ４の表面とほぼ平坦となる。凹所用クッション体７の一端側には、埋設した凹所用クッション体７を引き抜くための取っ手部７ａが取り付けられている。
【００１８】  また、座席部２の尾骨回避凹所２ａに埋設される凹所用クッション体８は、凹所用クッション体７と同様に、尾骨回避凹所２ａの形状、すなわち縦方向の長さ、幅、及び、深さがほぼ等しいかやや大きい寸法に形成されている。凹所用クッション体８の内部には、座席部２と同様に、ウレタンフォームやウレタンチップなどのクッション材が収納され、表面には布やレザー或いは樹脂シート等の上張で被覆されたクッション構造としている。そして、凹所用クッション体８は、尾骨回避凹所２ａに軽圧入状態で埋設することにより、凹所用クッション体８の上面が背もたれ４の表面とほぼ平坦となる。この凹所用クッション体８の一端側にも、埋設した凹所用クッション体８を引き抜くための取っ手部８ａが取り付けられている。
【００１９】  なお、上述した凹所用クッション体７、８は、背骨回避凹所４ａ、尾骨回避凹所２ａに埋設した状態で背もたれ４、座席部２の表面とほぼ平坦となるようにしているが、場合によっては、背もたれ４、座席部２の表面よりも低くなるようにしても良い。また、凹所用クッション体７、８の硬度を背もたれ４、座席部２よりも小さくして、着座者６の尾骨や尾骨を陥没させるようにしても良い。さらに、上述した実施例においては、背もたれ４に形成された背骨回避凹所４ａと、座席部２に形成された尾骨回避凹所２ａの形状を縦長或いは長方形に形成したが、楕円形を含む円形状や四角形等の多角形に形成しても良い。この場合、凹所用クッション体７、８も背骨回避凹所４ａと及び尾骨回避凹所２ａに適合する形状に形成される。
【００２０】  次に、図５により、背もたれ４の骨回避凹所４ａ、及び、座席部２の尾骨回避凹所２ａを形成した椅子１の作用について説明する。図５に示すように、着座者６が椅子１の座席部２に深く腰掛けて、足と胴との角度θ１がほぼ直角の状態では、着座者６の背が背もたれ４に当接する。このとき、背もたれ４の横幅方向の中央に、上下方向に延びる縦長の背骨回避凹所４ａが形成され、この背骨回避凹所４ａが着座者６の背骨に対応する位置に形成されているので、着座者６の背骨６ａが背骨回避凹所４ａに入り込み、背骨６ａに対する圧接が回避される。これにより、疲労感や痛み感を減少させることができる。
【００２１】  一方、着座者６が椅子１の座席部２に浅く腰掛けて、足と胴との角度が大きくなった状態では、着座者６の背骨６ａの位置が低くなるとともに、尾骨６ｂが座席部２の前側に寸法だけ移動する。この状態であっても、尾骨回避凹所２ａが背もたれ４側と前側の間に形成されているので、尾骨６ｂは、尾骨回避凹所２ａに入り込み、尾骨６ｂに対する圧接を回避することができる。
【００２２】  また、着座者６が健常者等であって、背もたれ４の背骨回避凹所４ａ、及び、座席部２の尾骨回避凹所２ａが不要な場合には、図１乃至図４に示すように、凹所用クッション体７、８を背骨回避凹所４ａと尾骨回避凹所２ａに各々埋設する。すなわち、図１における矢示のように、背もたれ４の背骨回避凹所４ａに凹所用クッション体７を背もたれ４の表面とほぼ平坦になるまで埋設する。さらに、座席部２の尾骨回避凹所２ａに凹所用クッション体８を背もたれ４の表面とほぼ平坦になるまで埋設する。
【００２３】  このように凹所用クッション体７、８を背骨回避凹所４ａと尾骨回避凹所２ａに各々埋設することにより、図３及び図４に示すように、通常の椅子として使用することができる。従って、１脚の椅子をいずれの着座者であっても使用目的に応じて任意に使用可能となる。
【００２４】  また、背もたれ４の背骨回避凹所４ａ、座席部２の尾骨回避凹所２ａを必要とする場合には、凹所用クッション体７、８に取り付けた取っ手部７ａ、８ａを引き出すことにより容易に取り外すことができる。
【００２５】  以上、本発明を実施例に基づき具体的に説明したが、本発明は上記実施例に限定されるものではなく、その要旨を逸脱しない範囲で種々変形可能であることは言うまでもない。前述した実施例において、背もたれ及び座席部は、四角形以外に、円形や楕円形、或いは多角形にしても良い。また、背もたれ及び座席部に形成した背骨回避凹所或いは尾骨回避凹所には、柔軟性を有する椅子用の上張で被覆しても良い。
【符号の説明】
【００２６】  １      椅子
２      座席部
２ａ    尾骨回避凹所
４      背もたれ
４ａ    背骨回避凹所
６      着座者
６ａ    背骨
６ｂ    尾骨
７、８  凹所用クッション体
【図１】
0003190627.tif 000003
【図２】
0003190627.tif 000004
【図３】
0003190627.tif 000005
【図４】
0003190627.tif 000006
【図５】
0003190627.tif 000007